(57)【要約】【課題】  形成するのが容易で、効率よく製造することができる絵画用パネルおよびその製造方法を提供する。【解決手段】  パネル板１６と、パネル板１６の裏面外周縁に沿って取り付けられたサイド板１８と、パネル板１６、サイド板１８の外表面を覆って設けられたキャンバス１４とを具備する絵画用パネル１０であって、表面側にシート状のキャンバス１４が貼り付けられた平板状をなす基板１２ａの裏面側に、基板１２ａの、パネル板１６となる部位と前記サイド板１８となる部位との境界部２２と、隣接するサイド板同士の接合部２４となる部位とに、キャンバス１４には至らない深さの断面Ｖ字状をなす溝２０が形成されて、パネル板１６となる部位と前記サイド板１８となる部位とがキャンバス１４を介して繋がり、キャンバス１４により繋がった状態でサイド板１８となる部位が、パネル板１６となる部位の裏面方向に直角に折り返されて固定されている。【選択図】          図２
2005022381.tif 000002
【特許請求の範囲】
【請求項１】
パネル板と、パネル板の裏面外周縁に沿って取り付けられたサイド板と、パネル板、サイド板の外表面を覆って設けられたキャンバスとを具備する絵画用パネルであって、
表面側にシート状のキャンバスが貼り付けられた平板状をなす基板の裏面側に、該基板の、前記パネル板となる部位と前記サイド板となる部位との境界部と、隣接するサイド板同士の接合部となる部位とに、前記キャンバスには至らない深さの断面Ｖ字状をなす溝が形成されて、前記パネル板となる部位と前記サイド板となる部位とが前記キャンバスを介して繋がり、該キャンバスにより繋がった状態で前記サイド板となる部位が、前記パネル板となる部位の裏面方向に直角に折り返されて固定されたことを特徴とする絵画用パネル。
【請求項２】
パネル板と、パネル板の裏面外周縁に沿って取り付けられたサイド板と、各サイド板の端縁に内方に向けて取り付けられた第１の縁板と、パネル板、サイド板、第１の縁板の外表面を覆って設けられたキャンバスとを具備する絵画用パネルであって、
表面側にシート状のキャンバスが貼り付けられた平板状をなす基板の裏面側に、該基板の、前記パネル板となる部位と前記サイド板となる部位との境界部と、前記サイド板となる部位と前記第１の縁板となる部位との境界部と、隣接するサイド板同士の接合部となる部位とに、前記キャンバスには至らない深さの断面Ｖ字状をなす溝が形成されて、前記パネル板となる部位と前記サイド板となる部位とが、および前記サイド板となる部位と前記第１の縁板となる部位とが前記キャンバスを介して繋がり、該キャンバスにより繋がった状態で、前記サイド板となる部位が、前記パネル板となる部位の裏面方向に直角に折り返されると共に、前記第１の縁板となる部位が前記サイド板となる部位に対してさらに直角に折り返されて固定されたことを特徴とする絵画用パネル。
【請求項３】
パネル板と、パネル板の裏面外周縁に沿って取り付けられたサイド板と、各サイド板の端縁に内方に向けて取り付けられた第１の縁板と、各第１の縁板の端縁にパネル板の裏面方向に向けて取り付けられた第２の縁板と、パネル板、サイド板、第１の縁板、第２の縁板の外表面を覆って設けられたキャンバスとを具備する絵画用パネルであって、
表面側にシート状のキャンバスが貼り付けられた平板状をなす基板の裏面側に、該基板の、前記パネル板となる部位と前記サイド板となる部位との境界部と、前記サイド板となる部位と前記第１の縁板となる部位との境界部と、前記第１の縁板となる部位と前記第２の縁板となる部位との境界部と、隣接するサイド板同士の接合部となる部位とに、前記キャンバスには至らない深さの断面Ｖ字状をなす溝が形成されて、前記パネル板となる部位と前記サイド板となる部位とが、前記サイド板となる部位と前記第１の縁板となる部位とが、および前記第１の縁板となる部位と前記第２の縁板となる部位とが前記キャンバスを介して繋がり、該キャンバスにより繋がった状態で、前記サイド板となる部位が、前記パネル板となる部位の裏面方向に直角に折り返され、前記第１の縁板となる部位が前記サイド板となる部位に対してさらに直角に折り返されると共に、前記第２の縁板となる部位が前記第１の縁板となる部位に対してさらに直角に折り返されて固定されたことを特徴とする絵画用パネル。
【請求項４】
隣接して設けられた３枚以上の複数のパネル板により多角筒状に形成されたパネル本体と、該パネル本体の外表面を覆って設けられたキャンバスとを具備する絵画用パネルであって、
表面側にシート状のキャンバスが貼り付けられた平板状をなす基板の裏面側に、該基板の、隣接する前記パネル板となる部位の境界部と、両端側に位置するパネル板となる部位の端縁部とに、前記キャンバスには至らない深さの断面Ｖ字状をなす溝が形成されて、前記３枚以上のパネル板となる部位が前記キャンバスを介して繋がり、該キャンバスにより繋がった状態で前記パネル板となる部位が、それぞれ前記境界部で折り返されると共に前記両端縁部が突き合わされて固定され、筒状に形成されたことを特徴とする絵画用パネル。
【請求項５】
前記溝内に接着剤が塗布されることにより固定されていることを特徴とする請求項１〜３のいずれか一項記載の絵画用パネル。
【請求項６】
パネル板と、パネル板の裏面外周縁に沿って取り付けられたサイド板と、パネル板、サイド板の外表面を覆って設けられた剥離可能なシート材とを具備する絵画用パネルであって、
表面側に剥離可能なシート材が貼り付けられた平板状をなす基板の裏面側に、該基板の、前記パネル板となる部位と前記サイド板となる部位との境界部と、隣接するサイド板同士の接合部となる部位とに、前記シート材には至らない深さの断面Ｖ字状をなす溝が形成されて、前記パネル板となる部位と前記サイド板となる部位とが前記シート材を介して繋がり、該シート材により繋がった状態で前記サイド板となる部位が、前記パネル板となる部位の裏面方向に直角に折り返され、前記溝に塗布された接着剤により固定されたことを特徴とする絵画用パネル。
【請求項７】
パネル板と、パネル板の裏面外周縁に沿って取り付けられたサイド板と、各サイド板の端縁に内方に向けて取り付けられた第１の縁板と、パネル板、サイド板、第１の縁板の外表面を覆って設けられた剥離可能なシート材とを具備する絵画用パネルであって、
表面側に剥離可能なシート材が貼り付けられた平板状をなす基板の裏面側に、該基板の、前記パネル板となる部位と前記サイド板となる部位との境界部と、前記サイド板となる部位と前記第１の縁板となる部位との境界部と、隣接するサイド板同士の接合部となる部位とに、前記シート材には至らない深さの断面Ｖ字状をなす溝が形成されて、前記パネル板となる部位と前記サイド板となる部位とが、および前記サイド板となる部位と前記第１の縁板となる部位とが前記シート材を介して繋がり、該シート材により繋がった状態で、前記サイド板となる部位が、前記パネル板となる部位の裏面方向に直角に折り返されると共に、前記第１の縁板となる部位が前記サイド板となる部位に対してさらに直角に折り返され、前記溝に塗布された接着剤により固定されたことを特徴とする絵画用パネル。
【請求項８】
前記シート材は、当該パネルを保護するための保護シートであり、パネルの使用時にシート材を剥がしてキャンバスを取り付けることを特徴とする請求項５または６記載の絵画用パネル。
【請求項９】
パネル板と、パネル板の裏面外周縁に取り付けられたサイド板と、パネル板、サイド板の外表面を覆って設けられたキャンバスとを具備する絵画用パネルの製造方法であって、
表面側にシート状のキャンバスが貼り付けられた平板状をなす基板の裏面側に、該基板の、前記パネル板となる部位と前記サイド板となる部位との境界部と、隣接するサイド板同士の接合部となる部位とに、前記キャンバスには至らない深さの断面Ｖ字状をなす溝を形成して、前記パネル板となる部位と前記サイド板となる部位とを前記キャンバスを介して繋がらせる溝形成工程と、
前記キャンバスにより繋がった状態で前記サイド板となる部位を、前記パネル板となる部位の裏面方向に直角に折り返して固定する工程とを含むことを特徴とする絵画用パネルの製造方法。
【請求項１０】
パネル板と、パネル板の裏面外周縁に取り付けられたサイド板と、各サイド板の端縁に内方に向けて取り付けられた第１の縁板と、パネル板、サイド板、第１の縁板の外表面を覆って設けられたキャンバスとを具備する絵画用パネルの製造方法であって、
表面側にシート状のキャンバスが貼り付けられた平板状をなす基板の裏面側に、該基板の、前記パネル板となる部位と前記サイド板となる部位との境界部と、前記サイド板となる部位と前記第１の縁板となる部位との境界部と、隣接するサイド板同士の接合部となる部位とに、前記キャンバスには至らない深さの断面Ｖ字状をなす溝を形成して、前記パネル板となる部位と前記サイド板となる部位とを、および前記サイド板となる部位と前記第１の縁板となる部位とを前記キャンバスを介して繋がらせる溝形成工程と、
前記キャンバスにより繋がった状態で前記サイド板となる部位を、前記パネル板となる部位の裏面方向に直角に折り返すと共に、前記第１の縁板となる部位を前記サイド板となる部位に対して直角に折り返して固定する工程とを含むことを特徴とする絵画用パネルの製造方法。
【請求項１１】
パネル板と、パネル板の裏面外周縁に取り付けられたサイド板と、各サイド板の端縁に内方に向けて取り付けられた第１の縁板と、各第１の縁板の端縁に前記パネル板の裏面方向に向けて取り付けられた第２の縁板と、パネル板、サイド板、第１の縁板、第２の縁板の外表面を覆って設けられたキャンバスとを具備する絵画用パネルの製造方法であって、
表面側にシート状のキャンバスが貼り付けられた平板状をなす基板の裏面側に、該基板の、前記パネル板となる部位と前記サイド板となる部位との境界部と、前記サイド板となる部位と前記第１の縁板となる部位との境界部と、前記第１の縁板となる部位と前記第２の縁板となる部位との境界部と、隣接するサイド板同士の接合部となる部位とに、前記キャンバスには至らない深さの断面Ｖ字状をなす溝を形成して、前記パネル板となる部位と前記サイド板となる部位とを、前記サイド板となる部位と前記第１の縁板となる部位とを、および前記第１の縁板となる部位と前記第２の縁板となる部位とを前記キャンバスを介して繋がらせる溝形成工程と、
前記キャンバスにより繋がった状態で前記サイド板となる部位を、前記パネル板となる部位の裏面方向に直角に折り返し、前記第１の縁板となる部位を前記サイド板となる部位に対して直角に折り返すと共に、前記第２の縁板となる部位を前記第１の縁板となる部位に対して直角に折り返して固定する工程とを含むことを特徴とする絵画用パネルの製造方法。
【請求項１２】
パネル板と、パネル板の裏面外周縁に取り付けられたサイド板と、パネル板、サイド板の外表面を覆って設けられた剥離可能なシート材とを具備する絵画用パネルの製造方法であって、
表面側に剥離可能なシート材が貼り付けられた平板状をなす基板の裏面側に、該基板の、前記パネル板となる部位と前記サイド板となる部位との境界部と、隣接するサイド板同士の接合部となる部位とに、前記シート材には至らない深さの断面Ｖ字状をなす溝を形成して、前記パネル板となる部位と前記サイド板となる部位とを前記シート材を介して繋がらせる溝形成工程と、
前記シート材により繋がった状態で前記サイド板となる部位を、前記パネル板となる部位の裏面方向に直角に折り返すと共に、前記第１の縁板となる部位を前記サイド板となる部位に対して直角に折り返し、前記溝に接着剤を塗布して固定する工程とを含むことを特徴とする絵画用パネルの製造方法。
【請求項１３】
パネル板と、パネル板の裏面外周縁に取り付けられたサイド板と、各サイド板の端縁に内方に向けて取り付けられた第１の縁板と、パネル板、サイド板、第１の縁板の外表面を覆って設けられた剥離可能なシート材とを具備する絵画用パネルの製造方法であって、
表面側に剥離可能なシート材が貼り付けられた平板状をなす基板の裏面側に、該基板の、前記パネル板となる部位と前記サイド板となる部位との境界部と、前記サイド板となる部位と前記第１の縁板となる部位との境界部と、隣接するサイド板同士の接合部となる部位とに、前記シート材には至らない深さの断面Ｖ字状をなす溝を形成して、前記パネル板となる部位と前記サイド板となる部位とを、および前記サイド板となる部位と前記第１の縁板となる部位とを前記シート材を介して繋がらせる溝形成工程と、
前記シート材により繋がった状態で前記サイド板となる部位を、前記パネル板となる部位の裏面方向に直角に折り返すと共に、前記第１の縁板となる部位を前記サイド板となる部位に対して直角に折り返し、前記溝に接着剤を塗布して固定する工程とを含むことを特徴とする絵画用パネルの製造方法。
【発明の詳細な説明】
【技術分野】
【０００１】
本発明は、絵画用パネルおよびその製造方法に関し、詳細には、キャンバスまたは剥離可能なシート材が取り付けられた絵画用パネルおよびその製造方法に関する。
【背景技術】
【０００２】
従来において絵画用パネルは、キャンバスを、木枠を覆って端縁部を木枠に釘等により固定することによって構成されている。従来の絵画用パネルの一例を図９に示す（特許文献１参照）。
図９に示すように、絵画用パネル１００は、４本の外枠材１０２・・を矩形状に組み立てた枠体１０４と、枠体１０４の前面側を覆うキャンバス１０６とからなり、キャンバス１０６の端縁部を、枠体１０４の側面１０４ａに釘１０８・・を打ちつけて止め、たるみが生じないようにして形成されているものである。
【特許文献１】特開２００１−６３２９７号公報（第１図）
【発明の開示】
【発明が解決しようとする課題】
【０００３】
しかしながら、上記絵画用パネル１００は、キャンバス１０６をたるみ無く張設して釘１０８により止着する組み立ての際、キャンバス１０６の位置合わせや釘１０８を打ちつける作業が煩雑で時間がかかることから、キャンバス付き枠体を効率よく製造することができないという問題があった。
【０００４】
そこで、本発明は、この課題を解決すべくなされたものであり、その目的とするところは、形成するのが容易で、効率よく製造することができる絵画用パネルおよびその製造方法を提供することにある。
【課題を解決するための手段】
【０００５】
本発明は、上記目的を達成するため次の構成を備える。
すなわち、パネル板と、パネル板の裏面外周縁に沿って取り付けられたサイド板と、パネル板、サイド板の外表面を覆って設けられたキャンバスとを具備する絵画用パネルであって、表面側にシート状のキャンバスが貼り付けられた平板状をなす基板の裏面側に、該基板の、前記パネル板となる部位と前記サイド板となる部位との境界部と、隣接するサイド板同士の接合部となる部位とに、前記キャンバスには至らない深さの断面Ｖ字状をなす溝が形成されて、前記パネル板となる部位と前記サイド板となる部位とが前記キャンバスを介して繋がり、該キャンバスにより繋がった状態で前記サイド板となる部位が、前記パネル板となる部位の裏面方向に直角に折り返されて固定されたことを特徴とする。
【０００６】
また、パネル板と、パネル板の裏面外周縁に沿って取り付けられたサイド板と、各サイド板の端縁に内方に向けて取り付けられた第１の縁板と、パネル板、サイド板、第１の縁板の外表面を覆って設けられたキャンバスとを具備する絵画用パネルであって、表面側にシート状のキャンバスが貼り付けられた平板状をなす基板の裏面側に、該基板の、前記パネル板となる部位と前記サイド板となる部位との境界部と、前記サイド板となる部位と前記第１の縁板となる部位との境界部と、隣接するサイド板同士の接合部となる部位とに、前記キャンバスには至らない深さの断面Ｖ字状をなす溝が形成されて、前記パネル板となる部位と前記サイド板となる部位とが、および前記サイド板となる部位と前記第１の縁板となる部位とが前記キャンバスを介して繋がり、該キャンバスにより繋がった状態で、前記サイド板となる部位が、前記パネル板となる部位の裏面方向に直角に折り返されると共に、前記第１の縁板となる部位が前記サイド板となる部位に対してさらに直角に折り返されて固定されたことを特徴とする。
【０００７】
また、パネル板と、パネル板の裏面外周縁に沿って取り付けられたサイド板と、各サイド板の端縁に内方に向けて取り付けられた第１の縁板と、各第１の縁板の端縁にパネル板の裏面方向に向けて取り付けられた第２の縁板と、パネル板、サイド板、第１の縁板、第２の縁板の外表面を覆って設けられたキャンバスとを具備する絵画用パネルであって、表面側にシート状のキャンバスが貼り付けられた平板状をなす基板の裏面側に、該基板の、前記パネル板となる部位と前記サイド板となる部位との境界部と、前記サイド板となる部位と前記第１の縁板となる部位との境界部と、前記第１の縁板となる部位と前記第２の縁板となる部位との境界部と、隣接するサイド板同士の接合部となる部位とに、前記キャンバスには至らない深さの断面Ｖ字状をなす溝が形成されて、前記パネル板となる部位と前記サイド板となる部位とが、前記サイド板となる部位と前記第１の縁板となる部位とが、および前記第１の縁板となる部位と前記第２の縁板となる部位とが前記キャンバスを介して繋がり、該キャンバスにより繋がった状態で、前記サイド板となる部位が、前記パネル板となる部位の裏面方向に直角に折り返され、前記第１の縁板となる部位が前記サイド板となる部位に対してさらに直角に折り返されると共に、前記第２の縁板となる部位が前記第１の縁板となる部位に対してさらに直角に折り返されて固定されたことを特徴とする。
また、キャンバスの代わりに剥離可能なシート材が設けられていることであっても良い。
【発明の効果】
【０００８】
本発明による絵画用パネルによれば、上述したように、パネル板となる部位とサイド板となる部位とをＶ溝により形成した際に、Ｖ溝がキャンバスまたはシート材には至らない深さに設けられることから、サイド板を折り返して固定することにより、簡単に絵画用パネルを形成することができ、効率よく製造することができる等の著効を奏する。
【発明を実施するための最良の形態】
【０００９】
以下、本発明にかかる絵画用パネルの好適な実施の形態を添付図面に基づいて詳細に説明する。なお、本発明の絵画用パネルは、製造方法とその軌を一にするものであるから製造方法と共に説明する。
【００１０】
図１〜図３は、本発明にかかる絵画用パネルの一実施形態の製造方法を示す説明図である。
本実施形態の絵画用パネル１０を製造する際は、先ず、平板状の大判な基板１２の表面側に接着剤によりシート状のキャンバスを貼り付ける。なお、キャンバスは、布製、紙製を含み、その材質は特に限定されない。
そして、この基板１２から、図１(a)および(b)に示すように、絵画用パネル１０の大きさに応じて、矩形状に所要の大きさの基板１２ａと、基板１２ａの表面に貼り付けられているキャンバスとを共に切り離す。
【００１１】
切り離した後は、基板１２ａの裏面側から断面Ｖ字状の溝２０を設けて、矩形状のパネル板となる部位１６と、パネル板となる部位１６の外周縁に沿って設けられたサイド板となる部位１８とを形成する。すなわち、Ｖ溝２０・・を、パネル板となる部位１６とサイド板となる部位１８との境界部２２・・と、隣接するサイド板同士の接合部となる部位２４・・とに形成することで、パネル板となる部位１６と、パネルに隣接した矩形状のサイド板となる部位１８とが形成される（図１(b)）。
ただし、Ｖ溝２０は、図２(c)に示すように、キャンバス１４には至らない深さに設けられている。このため、パネル板となる部位１６とサイド板となる部位１８・・とは、キャンバス１４を介して繋がった状態に設けられている。
【００１２】
基板１２ａにＶ溝２０・・を設けた後、隣接するサイド板間となるコーナー部２６・・の基板部分とキャンバス部分を切除する（図２(a)）。そして、図３に示すように、Ｖ溝２０に沿ってサイド板となる部位１８・・を、パネル板となる部位１６に対して直角に折り返し、Ｖ溝２０に塗布した接着剤により固定する。また、サイド板となる部位１８の接合部２４に設けられたＶ溝２０にも接着剤を塗布して隣接するサイド板同士を接合し固定する。これにより、パネル板１６と、パネル板１６の外周縁に沿い、各辺からパネル板１６の裏面側に向けて直角に設けられたサイド板１８と、パネル板１６、サイド板１８の外表面を覆って設けられたキャンバス１４とから構成される本実施形態の絵画用パネル１０が形成される。
なお、サイド板１８の固定は、必ずしも接着剤によらなくとも良い。例えば、隣接するサイド板１８間のコーナー部に跨るようにして、止着金具（図示せず）を取り付けて固定するようにしても良い。
【００１３】
上記のように、本実施形態においては、パネル板となる部位１６とサイド板となる部位１８とを分離するＶ溝２０が、キャンバスまで至らない深さに設けられていることから、パネル板となる部位１６とサイド板となる部位１８とをキャンバス１４を介して繋がった状態に設けることができる。そして、サイド板となる部位１８をパネル板となる部位１６に対して折り返して固定するだけで、簡単に絵画用パネル１０を形成できる。これにより、位置合わせやキャンバスの張設等の煩雑な作業により時間がかかることがないことから、効率よく絵画用パネル１０を製造することできる。また、大判な基板から必要な大きさの基板だけを切り離してパネルを形成することから、図１(a)に示すように、大判な基板１２からいろいろな大きさのパネルをとるなどして基板全体をパネルの形成に使用することができる。
【００１４】
また、近年においては、絵に立体間をもたせる等の理由により、キャンバスの側面まで絵を描きたいという要望がある。従来の枠体１００の場合には、キャンバスを固定するため側面に釘１０８を打ち付けていることから、側面に絵を描くことができなかったが、本実施形態においては、キャンバスは基板に貼り付けられているものであるため、側面まで絵を描くことが可能である。さらに、従来のものは側面に釘が打ち付けられ見栄えが悪いため、額に入れて飾る必要があるが、本実施形態のパネル１０のように側面までキャンバスが貼り付けられた状態に設けられていることから見栄えが良いため、そのままの状態で飾ることもできる。
【００１５】
なお、本実施形態においては、図３に示すように、絵画用パネル１０の裏面側において、対向するサイド板１８、１８の間に中桟２８，２８を設けている。これにより、パネルの変形を防ぐことができると共に、中桟２８を手で持つことができるので、絵画用パネル１０の側面を描く際にも不自由なく絵を描くことができる。
【００１６】
次に、本発明にかかる絵画用パネルの他の実施形態を説明する。
図４は、本発明にかかる絵画用パネルの第２の実施形態の構成を示す裏面図および断面図である。図４に示す絵画用パネル３０は、第１の実施形態のパネルと異なり各サイド板の端縁に第１の縁板が設けられていることを特徴とするものである。以下に、製造方法と共に構成を説明する。
【００１７】
基板を所定の大きさに切り離した後、パネル板となる部位３２とサイド板となる部位３４との境界部３６と、サイド板となる部位３４と第１の縁板となる部位３８との境界部４０と、隣接するサイド板同士の接合部となる部位４２とにＶ溝２０を設ける。そして、隣接するサイド板間および隣接する第１の縁板間となるコーナー部の基板部分とキャンバス部分とを切除することにより、図４(a)に示すように、サイド板となる部位３４のパネル板３４と反対側の端縁に第１の縁板となる部位３８が設けられる。
【００１８】
この後、サイド板となる部位３４をパネル板となる部位３２の裏面方向に直角に折り返して固定し、第１の縁板となる部位３８をサイド板となる部位３４に対して直角に内方側に折り返して固定する。これにより、図４(c)および(d)に示すように、パネル板３２の背面側に、パネル板３２の外周縁に沿った状態の第１の縁板３８が形成される。
なお、図４(a)に示すように、第１の縁板となる部位３８は、隣接する第１の縁板同士を直角に接合するために、接合部が切り欠かれた形状に形成されている。
【００１９】
第２の実施形態においては、絵画用パネル３０に第１の縁板３８を設けることによって、パネルの側面に貼られたキャンバス４４をより見栄え良く形成することができる。すなわち、第１の実施形態のパネル１０ように、キャンバスの端部がサイド板の端縁に合わせた状態に設けられている場合、キャンバスの端部側が剥がれてしまって見栄えが悪くなってしまうおそれがあるが、図４のように、キャンバス４４の端部がパネルの裏側に折り込まれることによって、側面のキャンバス４４が常にサイド板に貼り付けられた状態に設けることができ、見栄え良く形成することができる。
【００２０】
図５は、本発明にかかる絵画用パネルの第３の実施形態の構成を示す裏面図および断面図である。図５に示す絵画用パネル５０は、第２の実施形態の絵画用パネル３０と異なり、各第１の縁板の端縁にさらに第２の縁板が取り付けられたものである。以下に、製造工程と共に構成を説明する。
【００２１】
図５に示す絵画用パネル５０は、所定の基板の大きさに切り取られた後、パネル板となる部位５２とサイド板となる部位５４との境界部５６と、サイド板となる部位５４と第１の縁板となる部位５８との境界部６０と、第１の縁板となる部位の５８と第２の縁板となる部位６２の境界部６４と、隣接するサイド板同士の接合部となる部位６６とにＶ溝２０を設ける。そして、基板のコーナー部の基板部分およびキャンバス部分を切除する。これにより、図５(a)に示すように、第１の縁板となる部位３４のサイド板５２と反対側の端縁には、第２の縁板となる部位６２が形成される。
【００２２】
この後、サイド板となる部位５４をパネル板５２の裏面側に、第１の縁板となる部位５８を内方側へ折り返して固定し、第２の縁板となる部位６２を、第１の縁板５８の端縁からパネル板５２の表面側へ向けて直角に折り返して固定する。これにより、図５(ｄ)に示すように、第２の縁板６２は第１の縁板５８の内方縁からパネル板５２に向けて屈曲した状態に設けられる。
【００２３】
なお、図５に示す絵画用パネル５０は、サイド面の幅が約４ｃｍ、第２の縁板６２の幅が約２ｃｍに設けられて、また、図５(a)に示すように、パネル板５２の裏面側には溝６９（例えば、基板の厚さが３ｍｍの場合においては、深さ１．５ｍｍ程度の溝６９）が形成され、この溝６９に中桟６８が十字状に取り付けられる。そして、中桟６８を取り付けた際に、中桟６８と第２の縁板６２の端縁とが当接した状態に設けられるようになっている。これにより、サイド面５４に力がかかっても変形しにくくでき、パネルの強度を高めることができる。
【００２４】
図６に示す絵画用パネル５０ａは、図５の絵画用パネル５０を変形したものである。すなわち、図５に示す絵画用パネル５０は、第２の縁板となる部位６２の端縁がパネル板となる部位５２と離間した状態に設けられているものであるが、図６に示す絵画用パネル５０ａは、第２の縁板となる部位６２ａの端縁がパネル板となる部位５２の裏面に当接するように設けられている。
詳細には、基板にＶ溝２０および中桟用の溝６９を形成する際に、パネル板となる部位５２ａの裏面に矩形状の溝６７（例えば、基板の厚さが３ｍｍの場合においては、深さ１．５ｍｍ程度の溝６７）を形成する。この溝６７は、第２の縁板となる部位６２ａの端縁がパネル板５２ａの裏面に当接する位置に設けられている。そして、パネルの組み立て時に、溝６７に接着剤を塗布し、この溝６７に第２の縁板となる部位６２ａの端縁を差し込んで固定する。
このように第２の縁板となる部位６２ａをパネル板となる部位５２ａに接着することによって、第２の縁板６２が安定して支持され、変形することを防止することができる。
【００２５】
図７は、本発明にかかる絵画用パネルの第４の実施形態の構成を示す裏面図および斜視図である。
図７に示す絵画用パネル７０は、キャンバス８２が貼り付けられた基板を六角形状の筒体に形成したものである。この絵画用パネル７０は、隣接して設けられた６つの側板７２と、側板７２の隣接する端縁と異なる側の両端縁に設けられた沿って設けられた第２の縁板７４と、側板７２、第２の縁板７４の外表面を覆って設けられたキャンバス８２とからなる。
製造する際には、先ず、図７(a)に示すように、隣接する側板となる部位の境界部７６と、側板となる部位７２と第２の縁板となる部位７４との境界部７８とにＶ溝８０を設ける。これにより、側板となる部位７２と第２の縁板となる部位７４とがキャンバス８２により繋がった状態に設けられる。そして、側板となる部位７２を隣接する側板となる部位７２に対して６０度折り返して固定すると共に、第２の縁板となる部位７４を側板となる部位７２に対して直角に折り返して固定することにより、平面六角形の筒体状に形成される。
なお、この実施形態においては、筒体を平面六角形状に形成したものであるが、これに限定されるものではなく、３以上の側板を隣接して設けることで筒体を形成することができる。
【００２６】
また、本発明にかかる絵画用パネルは、図１〜５に示したようにキャンバスを貼り付けたものに限定されるものではない。
従来からある画用紙が張り付けられたパネルというのは、画用紙が弛まないように張り付け時にいったん画用紙を水でぬらしてから張り付けるものである。しかし、このように画用紙に水分を含ませて張り付けられたパネルは、長時間経過するとしだいにパネル自体が反るなど変形することがある。
そこで、本発明においては、表面が剥離可能な０．５ｍｍ程度のシート材で被覆した絵画用パネルを製造し、パネルの使用時すなわち絵を描く際にシート材を剥がして画用紙を張り付けることができる絵画用パネルを考えた。以下に、剥離可能なシート材が貼り付けられた絵画用パネルの構成および製造方法について説明する。
【００２７】
製造方法は図１と略同様であるので図示を省略する。すなわち、図１に示されるキャンバスに代えて、表面側に剥離可能なシート材が貼り付けられた基板を所定の大きさに切り離した後、パネル板となる部位とサイド板となる部位の境界および隣接するサイド板同士の接合部となる部位にＶ溝を形成して、コーナー部の基板部分とシート材部分を切除する。そして、パネル板となる部位とサイド板となる部位とがシート材により繋がった状態から、サイド板となる部位をパネル板に対して直角に折り返しＶ溝に接着剤を塗布して固定することによって、表面がシート材により覆われた絵画用パネルが形成される。
【００２８】
この場合も、第１の実施形態と同様、パネル板となる部位とサイド板となる部位とをＶ溝により分離しても、シート材により繋がった状態に設けられていることから、サイド板となる部位を折り返すことで簡単に形成することができる。
なお、上記構成は第１実施形態のように、サイド板のみが設けられたものであるが、第２または第３の実施形態のように、第１の縁板や第２の縁板が設けられている構成に設けることも当然可能である。
そして使用する際には、シート材を剥離した後、画用紙を従来と同様な方法で張り付けるようにすれば良い。なお、このシート材を用いる場合には、シート材をいったん剥離する必要があることから、パネル板とサイド板との固定や、サイド板と第１の縁板との固定等は、Ｖ溝に塗布した接着剤で行う必要がある。
【００２９】
また、第１〜第４の実施形態の絵画用パネルに設けるＶ溝２０，８０は、Ｖ溝の頂角が鋭く尖った形状に形成しているものであるが、図８(a)に示すように、Ｖ溝９０の頂角９０ａの角を丸めて形成することでも良い。このように、Ｖ溝９０の先端を丸く形成することによって、サイド板となる部位１８を折り返して直角に設けた際、パネル板１６とサイド板１８との角が丸く形成される。これにより、絵画用パネルの角で傷ついたり、キャンバスが破れたりすることを防止することができる。
【００３０】
本発明にかかる絵画用パネルにおいては、上述した実施の形態に限定されるものではなく、本発明の要旨を逸脱しない範囲において改変することでも良い。
例えば、第１〜第３の実施形態においては、パネル板が四角形状に設けられているものであるが、これに限定されるものではなく、多角形状に設けられていることであっても良い。
また、基板の材質は特に限定されないが、中密度繊維板（ＭＤＦ）、集積材、単板積層材（ＬＶＬ）、パーティクルボード等の板材を好適に用いることができる。
【図面の簡単な説明】
【００３１】
【図１】本発明にかかる絵画用パネルの一実施形態の製造工程を示す裏面図である。
【図２】本発明にかかる絵画用パネルの一実施形態の製造工程を示す裏面図および断面図である。
【図３】本発明にかかる絵画用パネルの一実施形態の構成を示す裏面図および断面図である。
【図４】本発明にかかる絵画用パネルの第２の実施形態の構成を示す裏面図および断面図である。
【図５】本発明にかかる絵画用パネルの第３の実施形態の構成を示す裏面図および断面図である。
【図６】図５に示す絵画用パネルの変形例を示す裏面図および断面図である。
【図７】本発明にかかる絵画用パネルの第４の実施形態の構成を示す裏面図および断面図である。
【図８】図１に示す絵画用パネルの一部分を示す部分拡大図である。
【図９】従来のキャンバス付き枠体の構成を示す斜視図である。
【符号の説明】
【００３２】
１０  絵画用パネル
１２  基板
１４  キャンバス
１６  パネル板となる部位（パネル板）
１８  サイド板となる部位（サイド板）
２０  Ｖ溝
２６  コーナー部
２８  中桟
【図１】
2005022381.tif 000003
【図２】
2005022381.tif 000004
【図３】
2005022381.tif 000005
【図４】
2005022381.tif 000006
【図５】
2005022381.tif 000007
【図６】
2005022381.tif 000008
【図７】
2005022381.tif 000009
【図８】
2005022381.tif 000010
【図９】
2005022381.tif 000011